(57)【特許請求の範囲】
【請求項１】
撮像素子からフレーム単位で順次出力される動画像データをＲＡＷ画像データとして記録メディアに記録する記録部と、
前記ＲＡＷ画像データをＭＰＥＧ圧縮符号化可能な画像データに変換する画像処理部と、
前期画像処理部から出力された画像データにＭＰＥＧ圧縮符号化処理を施してＭＰＥＧ圧縮符号化データを生成するＭＰＥＧ圧縮符号化部と、を備え、
前記記録部は、各フレームに対応する前記ＭＰＥＧ圧縮符号化データそれぞれのランダムアクセス可能なデータ位置と、当該各フレームに対応する前記ＲＡＷ画像データそれぞれの前記記録メディア上のアドレスとを対応付けたランダムアクセステーブルを、前記記録メディアに記録することを特徴とする、動画像記録装置。
【請求項２】
撮像素子からフレーム単位で順次出力された動画像データがＲＡＷ画像データとして記録されるとともに、前記動画像データがＭＰＥＧ圧縮符号化可能な画像データに変換され、ＭＰＥＧ圧縮符号化処理が施されたＭＰＥＧ圧縮符号化データが記録され、各フレームに対応する前記ＭＰＥＧ圧縮符号化データそれぞれのランダムアクセス可能なデータ位置と、当該各フレームに対応する前記ＲＡＷ画像データそれぞれの前記記録メディア上のアドレスとを対応付けたランダムアクセステーブルが記録された記録メディアから、当該ランダムアクセステーブルに基づき所望のフレームに対応する前記ＲＡＷ画像データ及び前記ＭＰＥＧ圧縮符号化データを読み出すデータ読出部と、
前記ＭＰＥＧ圧縮符号化データを復号する復号部と、
前記ＲＡＷ画像データを現像処理する現像処理部と、
を備えることを特徴とする、動画像再生装置。
【請求項３】
撮像素子からフレーム単位で順次出力される動画像データをＲＡＷ画像データとして記録メディアに記録する手段、
前記ＲＡＷ画像データをＭＰＥＧ圧縮符号化可能な画像データに変換する手段、
前期画像データにＭＰＥＧ圧縮符号化処理を施してＭＰＥＧ圧縮符号化データを生成する手段、
各フレームに対応する前記ＭＰＥＧ圧縮符号化データそれぞれのランダムアクセス可能なデータ位置と、当該各フレームに対応する前記ＲＡＷ画像データそれぞれの前記記録メディア上のアドレスとを対応付けたランダムアクセステーブルを、前記記録メディアに記録する手段、
としてコンピュータを機能させるためのプログラム。
【請求項４】
撮像素子からフレーム単位で順次出力された動画像データがＲＡＷ画像データとして記録されるとともに、前記動画像データがＭＰＥＧ圧縮符号化可能な画像データに変換され、ＭＰＥＧ圧縮符号化処理が施されたＭＰＥＧ圧縮符号化データが記録され、各フレームに対応する前記ＭＰＥＧ圧縮符号化データそれぞれのランダムアクセス可能なデータ位置と、当該各フレームに対応する前記ＲＡＷ画像データそれぞれの前記記録メディア上のアドレスとを対応付けたランダムアクセステーブルが記録された記録メディアから、当該ランダムアクセステーブルに基づき所望のフレームに対応する前記ＲＡＷ画像データ及び前記ＭＰＥＧ圧縮符号化データを読み出す手段、
前記ＭＰＥＧ圧縮符号化データを復号する手段、
前記ＲＡＷ画像データを現像処理する手段、
としてコンピュータを機能させるためのプログラム。
【発明の詳細な説明】
【技術分野】
【０００１】
本発明は、動画像記録装置、動画像再生装置及びプログラムに関する。
【背景技術】
【０００２】
従来、例えば下記の特許文献１に記載されているように、複数のビデオストリームが存在する場合に、そのユーザデータ内に互いの再生位置や戻り位置を記録することにより、動画同士のリンクを可能にする技術が記載されている。
【０００３】
また、動画を記録可能なビデオカメラ、カムコーダなどの撮像装置は、一般にＣＣＤ等の撮像素子から出力された信号に所定の画像処理を行った後、ＭＰＥＧ−２等の圧縮処理を施し、フラッシュメモリやＨＤＤ、ＤＶＤ等の記録媒体に記録を行っている。また、静止画用のカメラでは、撮像素子からの出力をそのままＲＡＷデータとして記録するものが知られている。
【０００４】
【特許文献１】特開２００５−３１２０６３号公報
【発明の開示】
【発明が解決しようとする課題】
【０００５】
しかしながら、上記従来の技術には、動画像をＲＡＷ画像データとしてそのまま記録する技術は開示されていない。また、動画像をＲＡＷデータとして記録した場合、高画質の映像を再生することは可能であるが、データサイズが膨大なものとなるため、再生時の処理量が多くなるという問題がある。更に、ＲＡＷデータは汎用性が比較的低いため、汎用性のある装置で簡便に再生することは困難である。
【０００６】
そこで、本発明は、上記問題に鑑みてなされたものであり、本発明の目的とするところは、汎用性のあるＭＰＥＧ圧縮符号化データにより高画質のＲＡＷ画像データを取り扱うことが可能な、新規かつ改良された動画像記録装置、動画像再生装置及びプログラムを提供することにある。
【課題を解決するための手段】
【０００７】
上記課題を解決するために、本発明のある観点によれば、撮像素子からフレーム単位で順次出力される動画像データをＲＡＷ画像データとして記録メディアに記録する記録部と、前記ＲＡＷ画像データをＭＰＥＧ圧縮符号化可能な画像データに変換する画像処理部と、前期画像処理部から出力された画像データにＭＰＥＧ圧縮符号化処理を施してＭＰＥＧ圧縮符号化データを生成するＭＰＥＧ圧縮符号化部と、を備え、前記記録部は、前記記録メディア上の前記ＲＡＷ画像データのアドレスと前記ＭＰＥＧ圧縮符号化データのランダムアクセス可能なデータ位置とを対応付けて、前記記録メディアに記録する動画像記録装置が提供される。
【０００８】
上記構成によれば、撮像素子からフレーム単位で順次出力される動画像データがＲＡＷ画像データとして記録メディアに記録され、ＲＡＷ画像データがＭＰＥＧ圧縮符号化可能な画像データに変換され、変換された画像データにＭＰＥＧ圧縮符号化処理を施したＭＰＥＧ圧縮符号化データが生成され、記録メディア上のＲＡＷ画像データのアドレスとＭＰＥＧ圧縮符号化データのランダムアクセス可能なデータ位置とが対応付けられて記録メディアに記録される。従って、高画質再生を行う場合はＲＡＷデータを使用し、リアルタイム表示、画像検索等では、データ量の少ないＭＰＥＧ圧縮符号化データを用いることができる。また、ＭＰＥＧ圧縮符号化データは汎用性が高いため、他の装置でも汎用的に使用することができ、他の装置で再生する場合においても容易に動画像を再生することが可能となる。
【０００９】
また、前記記録部は、前記ＭＰＥＧ圧縮符号化データのランダムアクセス可能なデータ位置を含むランダムアクセステーブルを前記記録メディアに記録するものであってもよい。かかる構成によれば、ＭＰＥＧ圧縮符号化データのランダムアクセス可能なデータ位置を含むランダムアクセステーブルが記録メディアに記録されるため、このテーブルに基づいてＲＡＷ画像データのアドレスにＭＰＥＧ圧縮符号化データのランダムアクセス可能なデータ位置を対応付けることができる。
【００１０】
また、上記課題を解決するために、本発明の別の観点によれば、撮像素子からフレーム単位で順次出力された動画像がＲＡＷ画像データとして記録されるとともに、前記動画像データがＭＰＥＧ圧縮符号化可能な画像データに変換され、ＭＰＥＧ圧縮符号化処理が施されたＭＰＥＧ圧縮符号化データが前記ＲＡＷ画像データに対応付けられて記録された記録メディアから前記ＲＡＷ画像データ及び前記ＭＰＥＧ圧縮符号化データを読み出すデータ読出部と、前記ＭＰＥＧ圧縮符号化データを復号する復号部と、前記ＲＡＷ画像データを現像処理する現像処理部と、を備える動画像再生装置が提供される。
【００１１】
上記構成によれば、撮像素子からフレーム単位で順次出力された動画像がＲＡＷ画像データとして記録されるとともに、動画像データがＭＰＥＧ圧縮符号化可能な画像データに変換され、ＭＰＥＧ圧縮符号化処理が施されたＭＰＥＧ圧縮符号化データがＲＡＷ画像データに対応付けられて記録された記録メディアからＲＡＷ画像データ及びＭＰＥＧ圧縮符号化データが読み出される。また、ＭＰＥＧ圧縮符号化データが復号され、ＲＡＷ画像データが現像処理される。従って、記録メディアから読み出されたＭＰＥＧ圧縮符号化データとＲＡＷデータの双方を再生することができる。
【００１２】
また、前記データ読出部は、前記記録メディアに記録された、前記ＭＰＥＧ圧縮符号化データのランダムアクセス可能なデータ位置を含むランダムアクセステーブルを読み出し、当該ランダムアクセステーブルに基づいて、データの読み出しを行うものであってもよい。かかる構成によれば、ランダムアクセステーブルにおけるランダムアクセス可能なデータ位置に基づいてデータの読み出しを行うことができるため、ＲＡＷデータとＭＰＥＧ圧縮符号化データの読み出しを連動させることができる。
【００１３】
また、前記ＲＡＷ画像データのアドレスに前記ＭＰＥＧ圧縮符号化データのランダムアクセス可能なデータ位置が対応付けて記録され、前記現像処理部は、前記データ位置に基づいて前記ＲＡＷ動画像データを現像処理するものであってもよい。かかる構成によれば、記録メディアには、ＲＡＷ画像データのアドレスにＭＰＥＧ圧縮符号化データのランダムアクセス可能なデータ位置が対応付けて記録されるため、ＭＰＥＧ圧縮符号化データのランダムアクセス可能なデータ位置に基づいて必要な部分のみＲＡＷ動画像データを現像処理することができる。
【００１４】
また、上記課題を解決するために、本発明の別の観点によれば、撮像素子からフレーム単位で順次出力される動画像データをＲＡＷ画像データとして記録メディアに記録する手段、前記ＲＡＷ画像データをＭＰＥＧ圧縮符号化可能な画像データに変換する手段、前期画像データにＭＰＥＧ圧縮符号化処理を施してＭＰＥＧ圧縮符号化データを生成する手段、前記記録メディア上の前記ＲＡＷ画像データのアドレスと前記ＭＰＥＧ圧縮符号化データのランダムアクセス可能なデータ位置とを対応付けて、前記記録メディアに記録する手段、としてコンピュータを機能させるためのプログラムが提供される。
【００１５】
上記構成によれば、撮像素子からフレーム単位で順次出力される動画像データがＲＡＷ画像データとして記録メディアに記録され、ＲＡＷ画像データがＭＰＥＧ圧縮符号化可能な画像データに変換され、変換された画像データにＭＰＥＧ圧縮符号化処理を施したＭＰＥＧ圧縮符号化データが生成され、記録メディア上のＲＡＷ画像データのアドレスとＭＰＥＧ圧縮符号化データのランダムアクセス可能なデータ位置とが対応付けられて記録メディアに記録される。従って、高画質再生を行う場合はＲＡＷデータを使用し、リアルタイム表示、画像検索等では、データ量の少ないＭＰＥＧ圧縮符号化データを用いることができる。また、ＭＰＥＧ圧縮符号化データは汎用性が高いため、他の装置でも汎用的に使用することができるため、他の装置で再生する場合においても容易に動画像を再生することが可能となる。
【００１６】
また、上記課題を解決するために、本発明の別の観点によれば、撮像素子からフレーム単位で順次出力された動画像がＲＡＷ画像データとして記録されるとともに、前記動画像データがＭＰＥＧ圧縮符号化可能な画像データに変換され、ＭＰＥＧ圧縮符号化処理が施されたＭＰＥＧ圧縮符号化データが前記ＲＡＷ画像データに対応付けられて記録された記録メディアから前記ＲＡＷ画像データ及び前記ＭＰＥＧ圧縮符号化データを読み出す手段、前記ＭＰＥＧ圧縮符号化データを復号する手段、前記ＲＡＷ画像データを現像処理する手段、としてコンピュータを機能させるためのプログラムが提供される。
【００１７】
上記構成によれば、撮像素子からフレーム単位で順次出力された動画像がＲＡＷ画像データとして記録されるとともに、動画像データがＭＰＥＧ圧縮符号化可能な画像データに変換され、ＭＰＥＧ圧縮符号化処理が施されたＭＰＥＧ圧縮符号化データがＲＡＷ画像データに対応付けられて記録された記録メディアからＲＡＷ画像データ及びＭＰＥＧ圧縮符号化データが読み出される。また、ＭＰＥＧ圧縮符号化データが復号され、ＲＡＷ画像データが現像処理される。従って、記録メディアから読み出されたＭＰＥＧ圧縮符号化データとＲＡＷデータの双方を再生することができる。
【発明の効果】
【００１８】
本発明によれば、汎用性のあるＭＰＥＧ圧縮符号化データにより高画質のＲＡＷ画像データを取り扱うことが可能な動画像記録装置、動画像再生装置及びプログラムを提供することが可能となる。
【発明を実施するための最良の形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
図１は、本発明の一実施形態にかかる動画像記録装置１００の構成を示すブロック図である。図１に示すように、動画像記録装置１００は、カメラ１０２の撮像素子（ＣＣＤ(Charge Coupled Device)、ＣＭＯＳ(Complementary Metal Oxide Semiconductor)等のセンサー）から出力された１フレーム毎の動画像データが入力されるカメラ信号処理部１０４を備えている。カメラ信号処理部１０４は、入力された信号をＡＤ変換するＡＤコンバータを含んでいる。
【００２１】
カメラ信号処理部１０４から出力されたデジタル映像信号は、フォーマット部(Format)１０６と現像処理部(B2Y)１０８の双方へ送られる。撮像素子がベイヤー(Bayer)配列の短板センサーの場合は、Ｒ：Ｇ：Ｂ＝１：２：１の市松模様であるため、フォーマット部１０６では、カメラ信号処理部１０４から送られたデジタルデータを並べ替え、ＲＡＷデータのまま記録メディアの記録フォーマットに従ってファイル化する。このとき、後述するように、システムエンコーダ１１８から送られたランダムアクセス可能なデータ位置とＲＡＷデータの対応付けが行われる。メディア記録部１１２は、フォーマット部１０６から送られたＲＡＷデータを記録メディアに記録する。記録メディアとしては、例えば、光学式記録媒体（ＣＤ、ＤＶＤ等）、光磁気ディスク、磁気ディスク、半導体記憶媒体などが挙げられる。
【００２２】
現像処理部１０８では、入力された映像データに対して、ホワイトバランス処理、ベイヤー配列からの補間処理、ノイズ除去、輝度及び色補正等の一連の現像処理が行われる。
【００２３】
現像処理部１０８で現像処理が行われたデータは、リサイズ部１１４へ送られる。リサイズ部１１４では、必要に応じて、表示装置の画面サイズに合わせて動画像データのサイズを変更する処理を行う。リサイズ部１１４から出力されたデータは、ＭＰＥＧエンコーダ１１８によりＭＰＥＧ圧縮符号化処理が行われる。ＭＰＥＧエンコーダ１１８によりＭＰＥＧ圧縮符号化処理が行われたデータは、システムエンコーダ１１８へ送られる。
【００２４】
また、オーディオ信号入力部１２２には、マイクロホン等から音声信号が入力される。入力された音声信号は、図示されないＡＤコンバータによりデジタル化された後、ファイル部１１０に送られてファイル化され、メディア記録部１１２によりＲＡＷデータとともに記録メディアに記録される。また、音声信号はオーディオエンコーダ１２４で符号化され、システムエンコーダ１１８に送られる。
【００２５】
なお、動画像記録装置１００における一連の処理は、ハードウェアで処理しても良いし、コンピュータ上のプログラムによるソフトウェア処理で実現しても良い。
【００２６】
図２は、ＭＰＥＧエンコーダ１１８によるＭＰＥＧ圧縮符号化処理で用いられるランダムアクセステーブルの一例を示す模式図であって、ＭＰ４と呼ばれるＭＰＥＧ／ＡＶＣ用に多く用いられる形式を示している。ＭＰＥＧ圧縮符号化処理では、図２に示すような、システムストリーム中のＩＤＲピクチャ(IDR Picture)と呼ばれるランダムアクセス可能なデータの位置(フレーム番号120, 188, 232, 298, 336)が表として保存される。ランダムアクセス可能なデータの位置は、ＧＯＰ(Group Of Picture)構造におけるデコード可能な最小単位ＧＯＰｎ，ＧＯＰｎ＋１・・・に対応付けて保存される。このランダムアクセス可能なデータの位置の単位はサンプルと呼ばれる。ＧＯＰ構造では、Ｉ(Intra-coded)，Ｐ(Predictive-coded)，Ｂ(Bidirectional predictive-coded)のフレームタイプが用意される。ＩＤＲピクチャはＩピクチャの中でもＩスライスもしくはＳＩスライスのみからなるピクチャであり、ランダムアクセス可能なピクチャとなっている。
【００２７】
システムエンコーダ１１８は、ランダムアクセス可能なデータ位置に対応するＲＡＷデータのフレーム番号と、記録メディア上でのアドレスとを対応付けするため、ランダムアクセス可能なデータ位置をフォーマット部１０６に送る。フォーマット部１０６では、ランダムアクセス可能なデータ位置と記録メディア上でのＲＡＷデータのアドレスを対応付ける処理が行われる。
【００２８】
図３は、ＲＡＷデータ上において、ランダムアクセステーブルに沿ってＲＡＷデータ内のアドレス情報が記録される様子を示す模式図である。このように、ランダムアクセス可能なデータ位置に対して、記録メディア上でのＲＡＷデータのアドレス(2409, 3618, 4781, 6002, 7390)が対応付けられて記録される。対応付けがなされたデータはファイル分１１０でファイル化され、メディア記録部１１２でメディアに記録される。この際、ランダムアクセス可能なデータ位置に対して、記録メディア上でのＲＡＷデータのアドレスが対応付けられたデータは、ＲＡＷデータのヘッダー、またはフッターに記録される。
【００２９】
このように、ＭＰＥＧ中のランダムアクセス可能なデータとＲＡＷデータとのリンクを形成することで、再生時にＭＰＥＧの参照データとの対比が容易になり、現像時の画像検索等が簡単な処理で可能となる。
【００３０】
また、ＭＰＥＧエンコーダ１１８でＭＰＥＧ圧縮符号化処理されたデータと、オーディオエンコーダ１２４で符号化された信号は、ファイル部１２０でファイル化されて、ランダムアクセステーブルとともに記録メディアに記録される。この結果、記録メディアには、動画像のＲＡＷデータとともに、ＭＰＥＧによる圧縮符号化データが記録される。
【００３１】
次に、記録メディアにおける記録フォーマットについて説明する。図４は、動画像記録装置１００による、記録メディアへの記録のフォーマットを示す模式図である。ここで、図４（Ａ）は、映像の記録開始（録画スタート）から記録停止（録画停止）までの間の１つの動画ファイルを示している。また、図４（Ｂ）は、図４（Ａ）の記録データのうち、１フレーム分のデータを示している。
【００３２】
図４（Ａ）に示すように、記録フォーマットの先頭には、ヘッダー(Header)が記録される。ヘッダーには、セットに関する情報（言語、メーカー名、セット名等）、記録に関する情報（撮影開始日時、撮影終了日時等）、カメラに関する情報（画素数、画素ピッチ、画素配置、レンズ種類等）、構造に関する情報（フレームレート、ＲＡＷ圧縮モード、現像データ圧縮モード、オーディオ圧縮モード等）、オーディオのチャンネル数、ビット数、記録メディアの記録フォーマット情報、カメラのレンズの仕様データ等の全体的な情報が記録される。ヘッダーに続いて、映像の１フレーム毎にデータが記録される。
【００３３】
１フレーム毎のデータは、フレームヘッダー(Frame Header 0, 1,…,n)とフレーム毎のデータ(F0, F1,…Fn)から構成される。フレームヘッダーには、フレームに関する情報(Absolute Frame number、タイムコード等)、撮影条件に関する情報（絞り値、フォーカス、ＩＳＯ感度、電子シャッター等）、サーチ用フラグ、タイトル、データサイズ（オーディオデータ、圧縮データ（現像データ）、ＲＡＷデータ）が記録される。図４（Ｂ）に示すように、フレーム毎のデータは、オーディオデータ(Audio)、ＭＰＥＧ圧縮符号化処理された圧縮データ(Compressed Image)、ＲＡＷデータ（Ｇ，Ｂ，Ｒ）の順でフレーム単位で繰り返し記録される。そして、最後のフレームFnのデータに続いて、フッター(Footer)が記録される。フッターには、全フレームに関する情報（全フレーム数、フレームヘッダーアドレス等）、撮影後の情報（重要度、シーンの種類等）が記録される。
【００３４】
図４に示すフォーマットにおいて、上述したＭＰＥＧ中のランダムアクセス可能なデータとのリンクは、ヘッダーまたはフッターに記録される。これにより、記録メディアからデータを読み出す際に、ＲＡＷデータとＭＰＥＧ圧縮符号化データとを対応付けることが可能となる。なお、ＭＰＥＧ圧縮符号化処理された圧縮データとＲＡＷデータはそれぞれ別の記録メディアに記録しても良い。
【００３５】
以上のように構成された本実施形態の動画像記録装置１００において、カメラ１０２の撮像素子から出力された動画像データは、ＲＡＷデータとＭＰＥＧ圧縮符号化データの双方で記録メディアに記録される。従って、高画質のＲＡＷデータが記録された記録メディアからＲＡＷデータを読み出して表示することで、圧縮された映像データに比べて、高画質の映像を再生することが可能となる。
【００３６】
一方、ＲＡＷデータはデータ量が多いため、記録メディアに記録されたデータを再生する際、ＲＡＷデータの再生にはＣＰＵの演算量が比較的多くなる。このため、ＰＣ上のソフトウェア等でリアルタイムに確認する場合に支障が生じる場合がある。本実施形態では、記録メディアにＭＰＥＧ圧縮符号化データが記録されるため、映像の検索作業等はＭＰＥＧのストリームを用いることができる、ＭＰＥＧストリームは符号化手法が複雑なため、本実施形態では、上述のようにランダムアクセス用のテーブルを保存するという手法を用いる。
【００３７】
動画像の再生時に、ＭＰＥＧデコーダは、テーブルを参照することにより、デコードが可能なＩＤＲピクチャを検索する。そして、ＲＡＷデータ上では、このテーブルに沿ってＲＡＷデータ内のアドレス情報が記録されているため、ＲＡＷデータとＭＰＥＧの参照データとの対比が容易になり、現像時の画像検索等が簡単な処理で可能になるとともに、検索後、必要な部分のみＲＡＷデータを再生することが可能となる。
【００３８】
図５は、図１の記録装置で記録されたデータを再生する動画像再生装置２００の構成を示すブロック図である。図５に示すように、動画像再生装置２００は、ホストＣＰＵ２０２、メディア読出部２０４、テーブル抽出部２０６、データ分離部(De-Multiplex)２０８、ＭＰＥＧシステムデコード部２１０、音声信号処理部２１２、ＭＰＥＧオーディオデコード部２１４、ＭＰＥＧ部ビデオデコード部２１６、フォーマット部２１８、現像処理部(B2Y)部２２０、リサイズ部２２２、ＭＵＸ２２４，２２６、オーディオ出力部２２８、ビデオ出力部２３０を有して構成されている。
【００３９】
メディア読出部２０４は、ホストＣＰＵ２０２からの指令により、記録メディアからデータを読み出す。テーブル抽出部２０６は、記録メディアに記録されたランダムアクセステーブルを抽出し、ホストＣＰＵ２０２に送る。ホストＣＰＵ２０２は、テーブル抽出部２０６から送られたテーブルに基づいて、メディア読出部２０４によるデータの読み出しを制御する。
【００４０】
分離部(De-Multiplex)２０８は、メディア読出部２０４から読み出したデータを一時的に溜め、音声信号処理部２１２、システムデコード部２１０、フォーマット部２１８のそれぞれに送る。この際、分離部２０８は、ＭＰＥＧ圧縮符号化処理が施されていない音声データを音声信号処理部２１２へ送り、ＲＡＷデータをデフォーマット部２１８へ送る。また、分離部２０８は、ＭＰＥＧ圧縮符号化処理が施された音声データ、画像データをシステムデコード情報とともにシステムデコーダ２１０へ送る。
【００４１】
システムデコード部２１０は、ランダムアクセス可能なデータ位置として、システムデコード情報を取得し、ホストＣＰＵ２０２へ送る。ホストＣＰＵ２０２は、テーブル抽出部２０６から送られたテーブルと、システムデコード部２１０から送られたシステムデコード情報に基づいて、メディア読出部２０４によるデータの読み出しを制御する。これにより、ＲＡＷデータとＭＰＥＧ圧縮符号化データとを対応付けて読み出すことができる。
【００４２】
音声信号処理部２１２は、音声信号にＤＡ変換などの処理を施し、ＭＵＸ２２４へ送る。また、システムデコード部２１０は、ＭＰＥＧ圧縮符号化処理が施された音声データをＭＰＥＧオーディオデコード部２１４へ送る。ＭＰＥＧオーディオデコード部２１４は、音声データを復号し、ＭＵＸ２２４へ送る。ＭＵＸ２２４は、音声信号処理部２１２から入力された音声信号、ＭＰＥＧオーディオデコード部２１４から入力された音声信号のいずれか一方を選択してオーディオ出力部２２８へ送る。オーディオ出力部２２８は、ＭＵＸ２２４から送られた信号をスピーカなどへ出力する。
【００４３】
また、システムデコード部２１０は、ＭＰＥＧ圧縮符号化処理が施された画像データをＭＰＥＧビデオデコード部２１６へ送る。ＭＰＥＧビデオデコード部２１６は、画像データを復号し、ＭＵＸ２２６へ送る。
【００４４】
分離部２０８からフォーマット部２１８に送られたＲＡＷデータは、デフォーマット部２１８でデフォーマットされ、現像処理部２２０へ送られる。現像処理部２２０では、入力されたＲＡＷデータに対して、ホワイトバランス処理、ベイヤー配列からの補間処理、ノイズ除去、輝度及び色補正等の一連の現像処理が行われる。現像処理部２２０で現像処理が行われたデータは、リサイズ部２２２へ送られる。リサイズ部２２２では、必要に応じて、表示装置の画面サイズに合わせて動画像データのサイズを変更する処理を行う。現像処理部２２０、リサイズ部２２２の処理は、ホストＣＰＵ２０２から送られた指令に基づいて行われる。これにより、現像処理部２２０、およびリサイズ部２２２は、ＭＰＥＧ圧縮符号化処理が施された画像データのランダムアクセス可能なフレーム番号に応じて、現像処理、およびリサイズを行うことができる。リサイズ部２２２から出力された信号は、ＭＵＸ２２６へ送られる。ＭＵＸ２２６は、ＭＰＥＧビデオデコード部２１６から入力されたビデオ信号、リサイズ部２２２から入力されたビデオ信号のいずれか一方を選択してビデオ出力部２３０へ送る。ビデオ出力部２３０は、ＭＵＸ２２６から送られた信号をＬＣＤなどの表示装置に出力する。
【００４５】
なお、動画像再生装置２００における一連の処理は、ハードウェアで処理しても良いし、コンピュータ上のプログラムによるソフトウェア処理で実現しても良い。
【００４６】
以上のように構成された本実施形態の動画像再生装置３００では、記録メディアから読み出されたテーブルに沿って、ホストＣＰＵ２０２がＲＡＷデータとＭＰＥＧデコードを連動するように制御する。このため、ＭＰＥＧデコードされた映像をビデオ出力部２３０から出力してモニタし、所望の画像が得られた時点からＲＡＷデータによる高画質再生に切り換える等の処理が可能となる。
【００４７】
以上説明したように本実施形態によれば、ＲＡＷデータとＭＰＥＧ圧縮符号化データの双方を関連付けて記録することができるため、高画質再生を行う場合はＲＡＷデータを使用し、リアルタイム表示、画像検索等では、データ量の少ないＭＰＥＧ圧縮符号化データを用いることができる。また、ＭＰＥＧ圧縮符号化データは汎用性が高いため、他の装置でも汎用的に使用することができるため、他の装置で再生する場合においても容易に動画像を再生することが可能となる。これにより、高画質かつ操作性の優れた動画像記録装置１００、および動画像再生装置２００を提供することが可能となる。
【００４８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００４９】
【図１】本発明の一実施形態にかかる動画像記録装置の構成を示すブロック図である。
【図２】ＭＰＥＧエンコーダによるＭＰＥＧ圧縮符号化処理で用いられるランダムアクセステーブルの一例を示す模式図である。
【図３】ＲＡＷデータ上において、ランダムアクセステーブルに沿ってＲＡＷデータ内のアドレス情報が記録される様子を示す模式図である。
【図４】記録メディアへの記録のフォーマットを示す模式図である。
【図５】図１の記録装置で記録されたデータを再生する動画像再生装置の構成を示すブロック図である。
【符号の説明】
【００５０】
１００    動画像記録装置
１１２    メディア記録部
１０６    フォーマット部
１１６    ＭＰＥＧエンコーダ
１１８    システムエンコーダ
２００    動画像再生装置
２０４    メディア読出部
２１４    ＭＰＥＧオーディオデコード部
【図１】
0005290568.tif 000002
【図２】
0005290568.tif 000003
【図３】
0005290568.tif 000004
【図４】
0005290568.tif 000005
【図５】
0005290568.tif 000006